(57)【要約】【課題】　二重案内式ヒンジを低コストで製造できるようにする。【解決手段】　本発明に係る家具用のヒンジは、ヒンジアーム（１）と、上記ヒンジアーム（１）に変位自在に接続された回動可能なヒンジ部（６）を備えている。上記ヒンジの閉鎖位置への動きは、閉鎖経路の一部において回転ダンパにより少なくとも減衰される。上記回転ダンパは、軸部（１８）とシリンダ部（１４）とを備えた軸ダンパ（１３）によって構成され、上記軸部（１８）は上記ヒンジのヒンジ軸を形成する一方、上記シリンダ部（１４）は上記軸部（１８）で枢支されているヒンジ部（６）に対して固定的に接続されている。【選択図】図１
2004068592.tif 000002
【特許請求の範囲】
【請求項１】
　ヒンジアーム（１）又は固定体側ヒンジ部と、該ヒンジアーム（１）又は固定体側ヒンジ部に変位自在に接続された回動可能なヒンジ部（６）とを備え、閉鎖位置への動きが閉鎖経路の一部において回転ダンパにより少なくとも減衰されるヒンジであって、
　上記回転ダンパは、軸部（１８）とシリンダ部（１４）とを備えた軸ダンパ（１３、２８）によって構成され、
　上記軸部（１８）はヒンジ軸を形成し、上記シリンダ部（１４）は、軸部（１８）で枢支されているヒンジ部（６）に固定的に接続されていることを特徴とするヒンジ。
【請求項２】
　第１及び第２の案内部（３、４）を備えた二重案内式ヒンジとして構成され、
　上記軸ダンパ（１３、２８）の軸部（１８）が、上記ヒンジアーム（１）又は固定体側ヒンジ部と、上記回動可能なヒンジ部（６）とを接続する４つの接続用ピンのうちの１つを形成し、接続用ピンによって支持されている第１の案内部の端部が、上記シリンダ部（１４）に固定的に接続されていることを特徴とする請求項１記載のヒンジ。
【請求項３】
　上記シリンダ部（１４）を越えて突出している上記軸部（１８）の一方の端部（１５）が、非円形又は四角形を含む多角形の断面を有するとともに、Ｕ字状に形成された上記ヒンジアーム（１）の一方の脚部（１７）の相補形状の凹部内に係合するようにする一方、上記軸部（１８）の他方の端部が、上記シリンダ部（１４）の直径と少なくとも同じ大きさの直径を有し且つ上記ヒンジアーム（１）の他方の脚部（２３）の相補形状の穴（２２）内で保持される円形ディスク状部（１６）を支持するように、上記軸ダンパ（１３）の軸部（１８）によって上記４つの接続用ピンのうちの固定された１つのピンが形成され、
　上記軸部（１８）が上記Ｕ字状のヒンジアーム（１）の脚部（１７、２３）の間に固定されていることを特徴とする請求項２記載のヒンジ。
【請求項４】
　上記軸ダンパ（２８）の軸部（１８）によって上記４つの接続用ピンのうちの回動可能な１つのピンが形成され、
　上記軸部（１８）の一方の端部は上記回動可能なヒンジ部（６）の壁部（３０）内で保持され、
　上記シリンダ部（１４）は、上記第１の案内部の外端部に回転不能に接続されているとともに、上記軸部（１８）の他方の端部には、上記４つの接続用ピンのうちの１つである第２の案内部の回動可能なボルト（３６）が係合する穴（３３）を有する径方向に延びる延出部（３２）が設けられていることを特徴とする請求項２記載のヒンジ。
【請求項５】
　上記一方の端部（３４）を保持する壁部（３０）に対向する上記回動可能なヒンジ部（６）の壁部（２９）には、円筒形のディスク状部（３７）が挿入される穴が設けられ、
　上記ディスク状部（３７）は、上記軸部（１８）に回転不能に接続され、上記延出部（３２）と一体的に構成されているとともに、上記シリンダ部（１４）の直径と少なくとも同じ大きさの直径を有することを特徴とする請求項４記載のヒンジ。
【請求項６】
　上記Ｕ字状のヒンジアーム（１）の両脚部の穴又は凹部に挿通されている上記軸ダンパ（１３、２８）の軸部（１８）の端部（１５、３４）には、リベット頭（２４、３５）が設けられていることを特徴とする請求項１乃至請求項５の何れかに記載のヒンジ。
【請求項７】
　上記シリンダ部（１４）には、該シリンダ部（１４）を上記Ｕ字状の第１の案内部の両脚部又は両突出部の間に固定するための少なくとも１つの平坦部（２０）が設けられており、
　上記両突出部には、上記平坦部（２０）に対応する相補形状の凹部が設けられていることを特徴とする請求項１乃至請求項６の何れかに記載のヒンジ。
【発明の詳細な説明】
【技術分野】
【０００１】
　本発明は、ヒンジアーム又は固定体側ヒンジ部と、ヒンジアーム又は固定体側ヒンジ部に変位自在に接続された回動可能なヒンジ部とを備え、閉鎖位置への動きが閉鎖経路の一部において回転ダンパにより少なくとも減衰されるヒンジ、好ましくは家具用のヒンジに関する。
【背景技術】
【０００２】
　従来より、この種の回転ダンパを用いるヒンジにおいては、減衰用の流動体により減衰される回転体を円筒状のハウジングに配置し、このハウジングのカバー部で支持されている回転体の少なくとも１つの軸ピンによって、回動可能なヒンジ部のうちの１つの鋸歯状部分と噛合するピニオンを固定的に位置付けている（例えば、特許文献１参照）。
【０００３】
【特許文献１】ドイツ実用新案第２０１０４１００号
【発明の開示】
【発明が解決しようとする課題】
【０００４】
　しかしながら、上述の従来のヒンジは、ピニオンが噛合する鋸歯状部分の構成により減衰力を伝達する必要があるため、比較的高い製造コストでしか製造できないという問題があった。
【０００５】
　本発明は、かかる点に鑑みてなされたものであり、その目的は、上述のようなタイプのヒンジを低コストで製造できるようにすることである。
【課題を解決するための手段】
【０００６】
　上記目的を達成するため、本発明のヒンジにおいては、回転ダンパを軸部とシリンダ部とを備えた軸ダンパとして構成しており、上記軸部は上記ヒンジのヒンジ軸を形成し、上記シリンダ部は上記軸部で枢支されているヒンジ部に固定的に接続されている。
【０００７】
　このように、上記軸ダンパの軸部が上記ヒンジのヒンジ軸を形成しているとともに、上記軸ダンパのシリンダ部が上記回動可能なヒンジ部に固定的に接続されているため、上記軸ダンパは上記ヒンジのヒンジ軸と一体化されており、上記回転ダンパ（軸ダンパ）から上記回動可能なヒンジ部へ減衰力を伝達するための特別な伝動手段が省略される。従って、上記ヒンジのダンパは、極めて低いコストで製造可能となっている。
【０００８】
　本発明に係るヒンジに組み込むのに適した軸ダンパとして構成されている回転ダンパは、従来から知られているとともに、様々な形で製造及び流通されている。従って、このような周知の軸ダンパの構成についての詳細な説明はここでは省略する。
【０００９】
　上記ヒンジは、第１及び第２の案内部を備えた二重案内式ヒンジとして構成され、上記軸ダンパの軸部が、上記ヒンジを構成する４つの接続用ピンのうちの１つを形成し、該ピンによって支持されている第１の案内部の端部が、上記シリンダ部に固定的に接続されていることが好ましい。
【００１０】
　このような本発明に係る軸ダンパの構成により、二重案内式ヒンジの減衰を特に有利に行うことが可能になる。
【００１１】
　本発明をさらに発展させた実施形態において、上記シリンダ部を越えて突出している上記軸部の一方の端部が、非円形又は四角形を含む多角形の断面を有するとともにＵ字状に形成された上記ヒンジアームの一方の脚部の相補形状の凹部内に係合するようにする一方、上記軸部の他方の端部が、上記シリンダ部の直径と少なくとも同じ大きさの直径を有し且つ上記ヒンジアームの他方の脚部の相補形状の穴内で保持される円形ディスク状部を支持するように、上記軸ダンパの軸部によって上記固定された接続用ピンの１つが形成され、上記軸部が上記Ｕ字状のヒンジアームの脚部の間に固定されていることが好ましい。
【００１２】
　このような実施形態により、上記非円形又は多角形の端部が上記ヒンジアームの一方の脚部の相補形状の凹部内に挿入されるとともに、上記円形ディスク状部が上記ヒンジアームの他方の脚部の対応する相補形状の穴に挿入されるまで上記軸ダンパを上記穴内に差し込むという簡単な方法により、上記軸ダンパを組み立てることができる。このようにして、上記軸ダンパの軸部は、上記ヒンジアームに回転不能に保持される。
【００１３】
　好適な実施形態によれば、上記軸ダンパの軸部によって上記回動可能な接続用ピンの１つが形成され、上記軸部の一方の端部は上記回動可能なヒンジ部の壁部内で保持され、上記シリンダ部は上記第１の案内部の外端部に回転不能に接続され、上記軸部の他方の端部には、上記第２の案内部の回動可能なボルトが係合する穴を有する径方向に延びる延出部が設けられていることが好ましい。
【００１４】
　このような構成により、上記軸ダンパの軸部は上記径方向に延びる延出部によって回転不能に保持されるため、上記回動可能なヒンジ部の壁部内へ挿入する際に前方に位置する上記軸部の端部の形状を円筒状にすることができる。
【００１５】
　上記軸ダンパを支持する上記回動可能なヒンジ部の両壁部間における一方の側から上記軸ダンパを簡単に挿入できるようにするため、本発明をさらに発展させた実施形態において、上記一方の端部を保持する壁部に対向する上記回動可能なヒンジ部の壁部には、上記軸ダンパのシリンダ部の端部領域が隙間で回動される穴が設けられていることが好ましい。
【００１６】
　上記軸ダンパの挿入された端部を対応する凹部又は穴内に固定するため、上記端部にはリベット頭が設けられていることが好ましい。
【００１７】
　上記シリンダ部に、該シリンダ部を上記Ｕ字状の第１の案内部の両脚部間に又は回動可能なヒンジ部に固定するための少なくとも１つの平坦部を設けるとともに、上記両脚部又は回動可能なヒンジ部に、対応する相補形状の凹部を設けることにより、上記回動可能なヒンジ部又は案内部の一端を上記軸ダンパのシリンダ部に容易に固定することができる。
【発明を実施するための最良の形態】
【００１８】
　以下、本発明の実施形態を図面に基づいて詳細に説明する。
【００１９】
　（実施形態１）
　図１乃至図５に示す実施形態１に係る二重案内式ヒンジは、従来の二重案内式ヒンジとしての構成を備えているが、ドア又はフラップドアの閉鎖移動を減衰するための軸ダンパとして構成された回転ダンパが設けられていることを特徴としている。
【００２０】
　図面に示す二重案内式ヒンジは、Ｚａｍａｋ合金又は打ち抜いた金属部分から構成されるＵ字状のヒンジアーム１を備えている。このヒンジアーム１は、通常の方法によりカップボードの壁部又は本体部２に取り付けられている。ヒンジアーム１は脚部１７，２３を有しており、これらの脚部１７，２３の間に第１及び第２の案内部としての案内部３，４の端部が支持されている。
【００２１】
　上記案内部３の両側の端部及び案内部４の後側の端部には、Ｕ字状で且つ傾斜した軸受用の突出部がそれぞれ設けられており、これらの突出部にはそれぞれ穴が設けられている。
【００２２】
　上記第１の案内部としての案内部４の外端部には、丸く巻かれた穴状部５が設けられており、この穴状部５は、ヒンジカップ（回動可能なヒンジ部）６において保持されたボルト７で支持されている。
【００２３】
　上記ヒンジアーム１の脚部１７，２３の間で保持された軸受ボルト８には、上記第２の案内部としての外側の案内部３の内端部が支持されている。そして、軸受ボルト８には、二重構造のヘアピン状に湾曲したリーフスプリング９が取り付けられている。リーフスプリング９の一方の脚部はヒンジアーム１のウェブ部で支持され、他方の脚部は、内側の案内部４の内端部に形成された制御用湾曲部で支持されている。
【００２４】
　上記外側の案内部３の外端部は、ヒンジカップ６内で保持されたボルト１０によって支持されている。ヒンジカップ６は、図示のように、ドア又はフラップドア１１の目隠し穴内で固定されている。この点に関して、図示の二重案内式ヒンジは公知の構成を有するため、その詳細な説明は省略する。
【００２５】
　本実施形態において、内側の案内部４の内端部は、回転ダンパとしての軸ダンパ１３により案内部４の内端部からＵ字状に湾曲している突出部１２において支持されている。
【００２６】
　つまり、上記ボルト７、軸受ボルト８、ボルト１０及び軸ダンパ１３が４つの接続ピンを構成している。
【００２７】
　図５で詳細に示すように、軸ダンパ１３の端部１５，１６は、シリンダ部１４の両端を越えて突出している。この軸ダンパ１３の端部１５，１６は、ヒンジアーム１の対応する脚部１７，２３においてそれぞれ保持されている。
【００２８】
　本実施形態に係るヒンジの後部に配置されたヒンジアーム１の脚部１７には、軸ダンパ１３の矩形の端部１５に対応する矩形開口（凹部）が設けられている。この矩形開口には軸ダンパ１３の矩形の端部１５が挿入されている。端部１５は開口内において回転不能に保持されている。なお、端部１５は、非円形又は四角形を含む多角形の断面を有するものであればよく、また、この端部１５の形状に対応させて上記開口（凹部）を形成すればよい。
【００２９】
　図５に示すように、矩形の端部１５に隣接しているのは、軸ダンパ１３の軸部１８であり、この軸部１８には環状段部１９が設けられている。この環状段部１９により、ヒンジアーム１の後側の脚部１７における矩形開口の縁部で軸部１８が支持されている。
【００３０】
　図１及び図２に示すように、軸ダンパ１３におけるシリンダ部１４の対向する両側には、平坦領域（平坦部）２０が設けられている。一方、内側の案内部４の突出部１２には、上記シリンダ部１４の形状に対応する開口が設けられている。このため、内側の案内部４がシリンダ部１４に回転不能に接続されるように、軸ダンパ１３をこれらの開口内に挿通できる。
【００３１】
　図５に示すように、軸ダンパ１３を突出部１２に挿通可能にするために、軸ダンパ１３の右側の端部には円形ディスク状部１６が配置されている。このディスク状部１６は、ヒンジアーム１の前側の脚部２３に形成された相補形状の穴２２（図４に示す）内で保持されている。また、ディスク状部１６は、シリンダ部１４の直径に相当する又はそれよりも僅かに大きな直径を有する。
【００３２】
　図４に示すように、上記軸ダンパ１３の軸部１８を固定するために、脚部１７の矩形開口を貫通する矩形の端部１５の先端には、リベット頭２４が設けられている。
【００３３】
　このようにして、上記軸部１８が上記Ｕ字状のヒンジアーム１の脚部１７，２３の間に固定され、軸部１８はヒンジのヒンジ軸を形成し、上記シリンダ部１４は、軸部１８で枢支されているヒンジ部６に固定的に接続されている。
【００３４】
　（実施形態２）
　図６に実施形態２に係るヒンジを示す。本実施形態では、上記実施形態１で図１乃至図５に基づいて説明した方法と同様の方法により、第１の案内部としての外側の案内部３の内端部が軸ダンパ１３によってヒンジアーム１の脚部１７，２３の間で支持されている。なお、以下の各実施形態では、図１乃至図５と同じ部分については同じ符号を付してその詳細な説明は省略する。
【００３５】
　本実施形態においては、軸ダンパ１３により形成される軸部によって閉鎖用のスプリングを保持することができないため、スプリングクリップ２６が装着可能な付加的なボルト２５をヒンジアーム１の脚部１７，２３の間に配置可能になっている。
【００３６】
　（実施形態３）
　図７に実施形態３に係るヒンジを示す。本実施形態では、図８に示される軸ダンパ（回転ダンパ）２８により形成した軸部によって、第１の案内部としての外側の案内部３の外端部がヒンジカップ６の壁部２９及び３０の間で支持されている。
【００３７】
　上記軸ダンパ２８のシリンダ部１４は、案内部３のウェブ部からＵ字状に湾曲した突出部の開口内において、上記実施形態２と同様に回転不能に保持されている。
【００３８】
　上記軸ダンパ２８の右側の端部には、穴３３と、径方向に延びる延出部３２とが設けられている。この穴３３には軸受ボルト３６の一端が係合し、この軸受ボルト３６によって第２の案内部としての内側の案内部４の丸く巻かれた穴状部５がヒンジカップ６において支持されている。
【００３９】
　上記軸ダンパ２８の軸部１８は上記延出部３２により回転不能に保持されているため、軸ダンパ２８の左側の端部３４は、丸い形状に形成できるとともに、ヒンジカップ６の壁部３０の穴に挿入できるように構成されている。また、端部３４にもリベット頭３５が設けられており、これにより端部３４が保持されている。
【００４０】
　上記軸ダンパ２８には、軸部１８に対して回転不能に接続され、上記延出部３２と一体的に構成されているとともに、シリンダ部１４の直径と少なくとも同じ大きさの直径を有する円筒形のディスク状部３７が設けられている。
【００４１】
　上記左側の端部３４を保持するヒンジカップ６の壁部３０に対向する壁部２９には、ディスク状部３７を保持するための穴が設けられている。このため、ヒンジカップ６の壁部２９に形成した挿入側壁部からヒンジカップ６の壁部及び外側の案内部３の突出部の間に軸ダンパ２８が挿入可能となっている。
【００４２】
　（その他の実施形態）
　なお、本発明が家具用以外の二重案内式ヒンジにも適用できるのは勿論のことである。
【００４３】
　また、本発明は、固定体側ヒンジ部と、該固定体側ヒンジ部に変位自在に接続された回動可能なヒンジ部６とを備え、閉鎖位置への動きが閉鎖経路の一部において回転ダンパにより少なくとも減衰されるヒンジにも適用される。
【図面の簡単な説明】
【００４４】
【図１】本発明の実施形態１に係るダンパを有するとともに開放位置にある二重案内式ヒンジを長手方向に切断した断面図である。
【図２】図１における軸ダンパ周辺を示す拡大側面図である。
【図３】二重案内式ヒンジが閉鎖位置にある状態を示す図１相当図である。
【図４】二重案内式ヒンジを一部破断して示す平面図である。
【図５】実施形態１及び２において使用可能な軸ダンパの側面図である。
【図６】本発明の実施形態２に係る図３相当図である。
【図７】本発明の実施形態３に係る図４相当図である。
【図８】本発明の実施形態３に係る図５相当図である。
【符号の説明】
【００４５】
１　　ヒンジアーム
３　　案内部
４　　案内部
６　　ヒンジカップ（回動可能なヒンジ部）
１３　軸ダンパ（回転ダンパ）
１４　シリンダ部
１５　端部
１６　端部（円形ディスク状部）
１７　脚部
１８　軸部
２０　平坦領域（平坦部）
２２　穴
２３　脚部
２４　リベット頭
２８　軸ダンパ（回転ダンパ）
２９　壁部
３０　壁部
３２　径方向延出部
３３　穴
３４　端部
３５　リベット頭
３６　軸受ボルト
３７　ディスク状部
【図１】
2004068592.tif 000003
【図２】
2004068592.tif 000004
【図３】
2004068592.tif 000005
【図４】
2004068592.tif 000006
【図５】
2004068592.tif 000007
【図６】
2004068592.tif 000008
【図７】
2004068592.tif 000009
【図８】
2004068592.tif 000010